(57)【要約】【課題】情報コードが表示される表示媒体と非接触通信媒体とのいずれか一方の媒体に対する読み取りを他方に対して優先的に実施し得る構成を提供する。【解決手段】無線通信部３０がＩＣカードＭ等の非接触通信媒体と無線通信可能なエリアを無線通信エリアＳ１、光学的情報読取部４０が読取口１３を介して表示媒体に表示される情報コードＣ等を読み取り可能なエリアを光学読取エリアＳ２とするとき、読取口１３に近づけられた携帯端末６０（表示媒体）に対して無線通信エリアＳ１を光学読取エリアＳ２よりも狭くする。【選択図】図４
2018124882.tif 000002
【特許請求の範囲】
【請求項１】
読取口に近づけられた非接触通信媒体から無線通信にて情報を読み取る無線通信部と、前記読取口に近づけられた表示媒体に表示される情報コードを前記読取口を介して撮像することで光学的に読み取る光学的情報読取部と、を備える情報読取装置であって、
前記無線通信部が前記非接触通信媒体と無線通信可能なエリアを無線通信エリア、前記光学的情報読取部が前記読取口を介して前記情報コードを光学的に読み取り可能なエリアを光学読取エリアとするとき、
前記読取口に近づけられた媒体に対して前記無線通信エリアを前記光学読取エリアよりも狭くしたことを特徴とする情報読取装置。
【請求項２】
前記無線通信部による電波の出力を下げることで、前記読取口に近づけられた媒体に対して前記無線通信エリアを前記光学読取エリアよりも狭くしたことを特徴とする請求項１に記載の情報読取装置。
【請求項３】
前記無線通信部を前記読取口に対して前記光学的情報読取部よりも遠ざけることで、前記読取口に近づけられた媒体に対して前記無線通信エリアを前記光学読取エリアよりも狭くしたことを特徴とする請求項１に記載の情報読取装置。
【請求項４】
特定の情報コードが前記光学的情報読取部により読み取られた場合に、前記無線通信エリアを広くすることを特徴とする請求項１〜３のいずれか一項に記載の情報読取装置。
【請求項５】
前記特定の情報コードが前記光学的情報読取部により読み取られた場合に、前記無線通信部による電波の出力を上げることで前記無線通信エリアを広くすることを特徴とする請求項４に記載の情報読取装置。
【請求項６】
前記情報コードは、特定のパターンを有し、
前記光学的情報読取部により前記特定のパターンが撮像されているか否かについて判定する判定部を備えることを特徴とする請求項１〜５のいずれか一項に記載の情報読取装置。
【請求項７】
前記無線通信部は、前記判定部により前記特定のパターンが撮像されていると判定されると、電波の出力を停止することを特徴とする請求項６に記載の情報読取装置。
【請求項８】
前記無線通信部は、前記判定部により前記特定のパターンが撮像されていると判定されると、所定の時間が経過するまで、電波の出力を停止することを特徴とする請求項７に記載の情報読取装置。
【請求項９】
前記無線通信部は、前記判定部により前記特定のパターンが撮像されていると判定されると、前記光学的情報読取部による前記情報コードの読み取りが成功するまで、電波の出力を停止することを特徴とする請求項７に記載の情報読取装置。
【請求項１０】
読取口に近づけられた非接触通信媒体から無線通信にて情報を読み取る無線通信部と、前記読取口に近づけられた表示媒体に表示される情報コードを前記読取口を介して撮像することで光学的に読み取る光学的情報読取部と、を備える情報読取装置であって、
前記無線通信部が前記非接触通信媒体と無線通信可能なエリアを無線通信エリア、前記光学的情報読取部が前記読取口を介して前記情報コードを光学的に読み取り可能なエリアを光学読取エリアとするとき、
前記読取口に近づけられた媒体に対して前記光学読取エリアを前記無線通信エリアよりも狭くしたことを特徴とする情報読取装置。
【請求項１１】
前記光学的情報読取部を前記読取口に対して前記無線通信部よりも遠ざけることで、前記読取口に近づけられた媒体に対して前記光学読取エリアを前記無線通信エリアよりも狭くしたことを特徴とする請求項１０に記載の情報読取装置。
【請求項１２】
前記情報コードは、特定のパターンを有し、
前記光学的情報読取部により前記特定のパターンが撮像されているか否かについて判定する判定部を備えることを特徴とする請求項１０又は１１に記載の情報読取装置。
【請求項１３】
前記光学的情報読取部は、前記判定部により前記特定のパターンが撮像されていると判定されると、所定の時間が経過するまで、前記情報コードの読取処理を停止することを特徴とする請求項１２に記載の情報読取装置。
【発明の詳細な説明】
【技術分野】
【０００１】
本発明は、情報読取装置に関するものである。
【背景技術】
【０００２】
従来、小売店やコンビニエンスストア等では、ＩＣカードや携帯端末内蔵のＩＣチップを使用した電子マネーによる決済が広く普及している。また、携帯端末の画面にＱＲコード（登録商標）等の情報コードを用いてクーポンや会員番号を表示し、それを読み取らせて割引やポイントを付与するサービスも普及してきている。このため、省スペース化等を図る目的でＩＣカードや情報コードの双方を読み取り可能な情報読取装置が求められており、このような情報読取装置として、例えば、下記特許文献１に開示される情報読取装置が知られている。
【０００３】
この情報読取装置は、読取窓を介して撮像された撮像画像に基づいて読取対象が撮像されていると判定されない場合には、非接触情報読取部が低消費モードに維持されて当該非接触情報読取部による消費電力が抑制され、読取対象が撮像されていると判定されると、非接触情報読取部が通信モードに切り替えられる。その後、非接触通信媒体に記憶される情報が読み取られると、非接触情報読取部が低消費モードに維持されることで、光学的情報読取手段および非接触通信手段の双方を利用した情報の読み取りに消費する消費電力の省電力化を図っている。
【先行技術文献】
【特許文献】
【０００４】
【特許文献１】特開２０１３−１８２４９９号公報
【発明の概要】
【発明が解決しようとする課題】
【０００５】
ところで、ＩＣカード等の非接触通信媒体から情報を読み取る無線通信部と情報コードを光学的に読み取る光学的情報読取部との双方を備える情報読取装置では、非接触通信媒体と情報コードとを同時に読み取り可能な状態になる場合がある。そのため、例えば、携帯端末の表示画面に情報コードを表示させて読み取らせる場合に、その携帯端末を保護するケース等に収容されたＩＣカードの情報まで読み取ってしまう場合がある。そうすると、例えば、表示画面に表示させたクーポン等のＱＲコードを読み取らせることで値引き等のサービスを受けた後にＩＣカードで決済したつもりでも、ＩＣカードが先に読み取られてしまい、値引き等のサービスを受けることができない可能性が有る。また、逆に、ＩＣカードを読み取らせたい場合でも情報コードが先に読み取られてしまう場合もある。すなわち、情報コードが表示される表示媒体と非接触通信媒体との両媒体を同時に読取口に翳す場合に意図しない方の媒体の情報が先に読み取られてしまう可能性が有る。
【０００６】
このような問題を解決するため、店員等が利用客の要求に応じて情報読取装置を操作することで、情報コードを読み取る場合には無線通信部による無線通信を停止し、ＩＣカードを読み取る際には光学的情報読取部による光学読取を停止する方法が考えられる。しかしながら、上述のような方法では、その都度、店員等が利用客の要求を確認した上でその要求に応じた操作をする必要があり、店員等に対して煩雑な作業を強いるだけでなくその作業時間も長くなるという問題がある。
【０００７】
本発明は、上述した課題を解決するためになされたものであり、その目的とするところは、情報コードが表示される表示媒体と非接触通信媒体とのいずれか一方の媒体に対する読み取りを他方に対して優先的に実施し得る構成を提供することにある。
【課題を解決するための手段】
【０００８】
上記目的を達成するため、特許請求の範囲の請求項１に記載の発明は、
読取口（１３）に近づけられた非接触通信媒体（Ｍ）から無線通信にて情報を読み取る無線通信部（３０）と、前記読取口に近づけられた表示媒体（６０）に表示される情報コード（Ｃ）を前記読取口を介して撮像することで光学的に読み取る光学的情報読取部（４０）と、を備える情報読取装置（１０）であって、
前記無線通信部が前記非接触通信媒体と無線通信可能なエリアを無線通信エリア（Ｓ１）、前記光学的情報読取部が前記読取口を介して前記情報コードを光学的に読み取り可能なエリアを光学読取エリア（Ｓ２）とするとき、
前記読取口に近づけられた媒体に対して前記無線通信エリアを前記光学読取エリアよりも狭くしたことを特徴とする。
【０００９】
また、請求項１０に記載の発明は、
読取口（１３）に近づけられた非接触通信媒体（Ｍ）から無線通信にて情報を読み取る無線通信部（３０）と、前記読取口に近づけられた表示媒体（６０）に表示される情報コード（Ｃ）を前記読取口を介して撮像することで光学的に読み取る光学的情報読取部（４０）と、を備える情報読取装置（１０ａ）であって、
前記無線通信部が前記非接触通信媒体と無線通信可能なエリアを無線通信エリア（Ｓ１）、前記光学的情報読取部が前記読取口を介して前記情報コードを光学的に読み取り可能なエリアを光学読取エリア（Ｓ２）とするとき、
前記読取口に近づけられた媒体に対して前記光学読取エリアを前記無線通信エリアよりも狭くしたことを特徴とする。
なお、上記各括弧内の符号は、後述する実施形態に記載の具体的手段との対応関係を示すものである。
【発明の効果】
【００１０】
請求項１の発明では、無線通信部が非接触通信媒体と無線通信可能なエリアを無線通信エリア、光学的情報読取部が読取口を介して情報コードを光学的に読み取り可能なエリアを光学読取エリアとするとき、読取口に近づけられた媒体に対して無線通信エリアを光学読取エリアよりも狭くしている。
【００１１】
これにより、情報コードが表示される表示媒体と非接触通信媒体との両媒体を同時に読取口に翳す場合でも、表示媒体の情報コードに対する読み取りを非接触通信媒体に対する読み取りよりも優先的に実施することができる。
【００１２】
請求項２の発明では、無線通信部による電波の出力を下げることで、読取口に近づけられた媒体に対して無線通信エリアを光学読取エリアよりも狭くしている。このように無線通信部による電波の出力を利用することで、無線通信エリアを容易に狭くすることができる。
【００１３】
請求項３の発明では、無線通信部を読取口に対して光学的情報読取部よりも遠ざけることで、読取口に近づけられた媒体に対して無線通信エリアを光学読取エリアよりも狭くしている。このように読取口に対して無線通信部を遠ざけるように配置することで、読取口を基準として簡素な構成にて無線通信エリアを狭くすることができる。
【００１４】
請求項４の発明では、特定の情報コードが光学的情報読取部により読み取られた場合に、無線通信エリアを広くする。これにより、光学的情報読取部により特定の情報コードが読み取られた後には、同時に翳された両媒体をさらに読取口に近づけなくても非接触通信媒体が無線通信エリア内に入りやすくなるので、特定の情報コードの読み取り後における非接触通信媒体の読み取りを確実に実施することができる。
【００１５】
請求項５の発明では、特定の情報コードが光学的情報読取部により読み取られた場合に、無線通信部による電波の出力を上げることで無線通信エリアを広くするため、無線通信エリアを迅速に広くでき、特定の情報コードの読み取り後における非接触通信媒体の読み取りを迅速かつ確実に実施することができる。
【００１６】
請求項６の発明では、光学的情報読取部により情報コードの特定のパターンが撮像されているか否かについて判定する判定部を備えている。これにより、両媒体が光学読取エリアに入る前であっても特定のパターンが撮像されることで、判定部の判定結果に応じて情報コードが読取口に翳されているか否かを迅速に把握することができる。
【００１７】
請求項７の発明では、無線通信部は、判定部により上記特定のパターンが撮像されていると判定されると、電波の出力を停止する。これにより、情報コードが読取口に翳されていることを把握して上で非接触通信媒体を読み取れなくすることができ、表示媒体の情報コードに対する読み取りを非接触通信媒体に対する読み取りよりもより優先的に実施することができる。
【００１８】
請求項８の発明では、無線通信部は、判定部により上記特定のパターンが撮像されていると判定されると、所定の時間が経過するまで、電波の出力を停止する。これにより、情報コードが読取口に翳されていることを把握して上で所定の時間が経過するまで非接触通信媒体を一時的に読み取れなくすることができ、表示媒体の情報コードに対する読み取りを非接触通信媒体に対する読み取りよりもより優先的に実施することができる。
【００１９】
請求項９の発明では、無線通信部は、判定部により上記特定のパターンが撮像されていると判定されると、光学的情報読取部による情報コードの読み取りが成功するまで、電波の出力を停止する。これにより、情報コードが読取口に翳されていることを把握して上でその情報コードの読み取りが成功するまで非接触通信媒体を一時的に読み取れなくすることができ、表示媒体の情報コードに対する読み取りを非接触通信媒体に対する読み取りよりもより優先的に実施することができる。
【００２０】
請求項１０の発明では、無線通信部が非接触通信媒体と無線通信可能なエリアを無線通信エリア、光学的情報読取部が読取口を介して情報コードを光学的に読み取り可能なエリアを光学読取エリアとするとき、読取口に近づけられた媒体に対して光学読取エリアを無線通信エリアよりも狭くしている。
【００２１】
これにより、情報コードが表示される表示媒体と非接触通信媒体との両媒体を同時に読取口に翳す場合でも、非接触通信媒体に対する読み取りを表示媒体の情報コードに対する読み取りよりも優先的に実施することができる。
【００２２】
請求項１１の発明では、光学的情報読取部を読取口に対して無線通信部よりも遠ざけることで、読取口に近づけられた媒体に対して光学読取エリアを無線通信エリアよりも狭くしている。このように読取口に対して光学的情報読取部を遠ざけるように配置することで、読取口を基準として簡素な構成にて光学読取エリアを狭くすることができる。
【００２３】
請求項１２の発明では、光学的情報読取部により情報コードの特定のパターンが撮像されているか否かについて判定する判定部を備えている。これにより、両媒体が光学読取エリアに入る前であっても特定のパターンが撮像されることで、判定部の判定結果に応じて情報コードが読取口に翳されているか否かを迅速に把握することができる。
【００２４】
請求項１３の発明では、光学的情報読取部は、判定部により特定のパターンが撮像されていると判定されると、所定の時間が経過するまで、情報コードの読取処理を停止する。これにより、情報コードが読取口に翳されていることを把握して上でその情報コードを所定の時間が経過するまで一時的に読み取れなくすることができ、非接触通信媒体に対する読み取りを表示媒体の情報コードに対する読み取りよりもより優先的に実施することができる。
【図面の簡単な説明】
【００２５】
【図１】本発明の第１実施形態に係る情報読取装置を概略的に示す斜視図である。
【図２】図２（Ａ）は、図１の情報読取装置の電気的構成を例示するブロック図であり、図２（Ｂ）は、図２（Ａ）の無線通信部を概略的に例示するブロック図であり、図２（Ｃ）は、図２（Ａ）の光学的情報読取部を概略的に例示するブロック図である。
【図３】携帯端末の表示画面に情報コードが表示される状態を説明する説明図である。
【図４】第１実施形態において無線通信エリアと光学読取エリアとの関係を説明する説明図である。
【図５】第１実施形態の第１変形例において無線通信エリアと光学読取エリアとの関係を説明する説明図である。
【図６】第１実施形態の第２変形例において無線通信エリアと光学読取エリアとの関係を説明する説明図である。
【図７】第２実施形態において無線通信エリアと光学読取エリアとの関係を説明する説明図であり、図７（Ａ）は、特定の情報コードが読み取られる前の無線通信エリアの状態を示し、図７（Ｂ）は、特定の情報コードが読み取られた後の無線通信エリアの状態を示す。
【図８】第３実施形態において情報コード検出エリアと光学読取エリアとの関係を説明する説明図である。
【図９】第３実施形態において制御部にて実行される読取処理の流れを例示するフローチャートである。
【図１０】第３実施形態の変形例において制御部にて実行される読取処理の流れを例示するフローチャートである。
【図１１】第４実施形態において無線通信エリアと光学読取エリアとの関係を説明する説明図である。
【図１２】第４実施形態の変形例において制御部にて実行される読取処理の流れを例示するフローチャートである。
【発明を実施するための形態】
【００２６】
［第１実施形態］
以下、本発明の第１実施形態に係る情報読取装置について図を参照して説明する。
図１に示す情報読取装置１０は、据え置き型の読取装置であって、ＩＣカード等の非接触通信媒体から無線通信にて情報を読み取る無線通信部としての機能と、情報コード等の光学的情報を撮像することで光学的に読み取る光学的情報読取部としての機能とを備え、読み取りを二方式で行いうる構成となっている。
【００２７】
この情報読取装置１０は、ＡＢＳ樹脂等の合成樹脂からなるケース１１によって外郭が構成されている。ケース１１の上面１２は、平面状に形成されており、この上面１２の中央には、略四角形状の読取口１３が設けられている。この読取口１３は、当該情報読取装置１０から出射される照明光および情報コードからの反射光を透過可能な透明のアクリル樹脂やガラス等から形成されている。また、読取口１３をケース１１に設けることにより、ケース１１内部への塵や埃などの異物の侵入を防止している。なお、図１では、携帯端末６０を保護する保護ケース５０の前カバー５１を後ろ側に回して、情報コードＣが表示される携帯端末６０の表示画面６１を読取口１３に翳し、前カバー５１にＩＣカードＭが差し込まれて収容されている状態を示している。
【００２８】
図２に示すように、ケース１１の内部には、情報読取装置１０全体を制御する制御部２１が設けられている。この制御部２１は、マイコンを主体として構成されるものであり、ＣＰＵ、システムバス、入出力インタフェース等を有し、メモリ２２とともに情報処理装置を構成している。メモリ２２には、無線通信処理等を実行するための所定のプログラム等が制御部２１により実行可能に予め格納されている。
【００２９】
また、制御部２１には、ＬＥＤ２３、表示部２４、操作部２５、ブザー２６、外部インタフェース２７、無線通信部３０および光学的情報読取部４０などが接続されている。操作部２５は、制御部２１に対して操作信号を与える構成をなしており、制御部２１は、この操作信号を受けて操作信号の内容に応じた動作を行う。また、ＬＥＤ２３、表示部２４およびブザー２６は、制御部２１によって制御される構成をなしており、それぞれ、制御部２１からの指令を受けて動作する。外部インタフェース２７は、決済サーバ等の外部機器との間でネットワーク等を介してデータ通信を行うためのインタフェースとして構成されており、制御部２１と協働して通信処理を行う構成をなしている。
【００３０】
無線通信部３０は、アンテナ３４および制御部２１と協働して非接触通信媒体との間で電波（電磁波）による通信を行ない、非接触通信媒体に記憶されるデータの読取り、或いは非接触通信媒体に対するデータの書込みを行なうように機能するものである。この無線通信部３０は、公知の電波方式で伝送を行う回路として構成されており、図２（Ｂ）にて概略的に示すように、送信回路３１、受信回路３２、整合回路３３などを有している。
【００３１】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００３２】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００３３】
光学的情報読取部４０は、図２（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して読取口１３に翳される情報コードや文字情報等の光学的情報を読み取るように機能する。
【００３４】
このように構成される光学的情報読取部４０によって読み取りを行う場合、まず、制御部２１によって指令を受けた照明部４１から照明光Ｌｆが出射され、この照明光Ｌｆが読取口１３を通って外部に照射される。そして、照明光Ｌｆが光学的情報等にて反射した反射光Ｌｒは読取口１３を通って装置内に取り込まれ、結像レンズ４２を通って受光センサ４３に受光される。読取口１３と受光センサ４３との間に配される結像レンズ４２は、光学的情報等の像を受光センサ４３上に結像させる構成をなしており、受光センサ４３はこの光学的情報等の像に応じた受光信号を出力する。受光センサ４３から出力された受光信号は、画像データとしてメモリ２２（図２（Ａ））に記憶され、光学的情報を読み取るための処理に用いられるようになっている。なお、光学的情報読取部４０には、受光センサ４３からの信号を増幅する増幅回路や、その増幅された信号をデジタル信号に変換するＡＤ変換回路等が設けられているがこれらの回路については図示を省略している。
【００３５】
次に、本実施形態における特徴的構成について、図面を参照して詳述する。
携帯端末６０のユーザは、図３に例示するように、携帯端末６０の表示画面６１（表示媒体）に表示される情報コードＣを従来の情報読取装置に読み取らせることで所定のサービスを受ける場合、情報コードＣが表示される表示画面６１をその情報読取装置に近づける動作を行う。なお、図３では、情報コードＣの一例として、ＱＲコードを図示しており、ＱＲコードを構成する各セルを配列したコード領域を特定するための３つの位置検出パターンをＦＰ１〜ＦＰ３にて示している。
【００３６】
ここで、情報コードＣを利用した所定のサービスとしては、例えば、クーポンや割引チケット等が想定される。その際、上記情報読取装置が情報コード及び非接触通信媒体の双方を読み取り可能であると、携帯端末６０の上記情報読取装置への翳し方によっては、この携帯端末６０を保護する保護ケース５０に収容されるＩＣカードＭが情報コードＣよりも先に読み取られてしまう場合がある。そうすると、例えば、情報コードＣを利用して割引等のサービスを受けた後にＩＣカードＭを利用して決済するつもりでも、ユーザの意図と異なり、情報コードＣを利用したサービスを受けないままＩＣカードＭを利用した決済が行われてしまう可能性がある。
【００３７】
そこで、本実施形態では、図４に示すように、無線通信部３０がＩＣカードＭ等の非接触通信媒体と無線通信可能なエリアを無線通信エリアＳ１、光学的情報読取部４０が読取口１３を介して表示媒体に表示される情報コードＣ等を読み取り可能なエリアを光学読取エリアＳ２とするとき、読取口１３に近づけられた携帯端末６０（表示媒体）に対して無線通信エリアＳ１を光学読取エリアＳ２よりも狭くしている。特に、無線通信エリアＳ１は、ＩＣカードＭ等の非接触通信媒体を読取口１３に接触させる程度に接近させなければその記録される情報が読み取れない程度の広さとなっている。なお、図４及び後述する図６では、便宜上、読取口１３より外側での無線通信エリアＳ１にハッチングを付している。
【００３８】
これにより、図１に例示するように情報コードＣが表示画面６１に表示される携帯端末６０とＩＣカードＭとの両媒体が同時に読取口１３に翳されてしまう場合でも、携帯端末６０に表示される情報コードＣに対する読み取りをＩＣカードＭに対する読み取りよりも優先的に実施することができる。
【００３９】
なお、本実施形態の第１変形例として、無線通信部３０による電波の出力を下げることで、読取口１３に近づけられた媒体に対して無線通信エリアＳ１を光学読取エリアＳ２よりも狭くしてもよい。例えば、図５に例示するように、無線通信部３０による電波の出力が強い場合の無線通信エリアＳ１ａに対して、無線通信部３０による電波の出力を弱めるように下げることでその無線通信エリアＳ１を狭くする。このように無線通信部３０による電波の出力を利用することで、無線通信エリアＳ１を容易に狭くすることができる。
【００４０】
また、本実施形態の第２変形例として、無線通信部３０のアンテナ３４を読取口１３に対して光学的情報読取部４０よりも遠ざけるように配置することで、読取口１３に近づけられた携帯端末６０に対して無線通信エリアＳ１を光学読取エリアＳ２よりも狭くしてもよい。このようにしても、読取口１３を基準として簡素な構成にて無線通信エリアＳ１を狭くすることができる。特に、図６に例示するように、アンテナ３４を、載置面からの高さを高くしたケース１１の底面１４近傍に配置することで、読取口１３を基準としてさらに無線通信エリアＳ１を狭くすることができる。
【００４１】
［第２実施形態］
次に、本発明の第２実施形態に係る情報読取装置について、図面を参照して説明する。
本第２実施形態では、情報コードの読取結果に応じて無線通信エリアを変化させる点が主に上記第１実施形態と異なる。このため、第１実施形態と実質的に同様の構成部分には同一符号を付して説明を省略する。
【００４２】
例えば、決済時にクーポンや割引チケット等として生成される情報コードＣを読み取らせる場合、次に、決済するためのＩＣカードＭが読み取られる流れとなる。すなわち、非接触通信媒体の前に読み取らせることが必要な情報コードがあり、無線通信エリアＳ１が狭いままでは、両媒体の位置によっては、情報コードを読み取らせた後に非接触通信媒体を読み取ることができない可能性がある。
【００４３】
そこで、本実施形態では、非接触通信媒体の前に読み取らせることが必要な情報コードとして、所定の情報を記録するように特定の情報コードＣａを生成する。そして、制御部２１は、この特定の情報コードＣａが読み取られない場合には、図７（Ａ）に例示するように、狭い無線通信エリアＳ１となるように無線通信部３０における電波の出力を調整し、特定の情報コードＣａが光学的情報読取部４０により読み取られると、図７（Ｂ）に例示するように、広い無線通信エリアＳ１ａとなるように無線通信部３０における電波の出力を上げるように調整する。
【００４４】
このように、特定の情報コードＣａが光学的情報読取部４０により読み取られた場合に、無線通信エリアＳ１ａとなるように広くすることで、光学的情報読取部４０により特定の情報コードＣａが読み取られた後には、同時に翳された両媒体をさらに読取口１３に近づけなくてもＩＣカードＭ等の非接触通信媒体が無線通信エリアＳ１ａ内に入りやすくなるので、特定の情報コードＣａの読み取り後における非接触通信媒体の読み取りを確実に実施することができる。
【００４５】
特に、特定の情報コードＣａが光学的情報読取部４０により読み取られた場合に、無線通信部３０による電波の出力を上げることで無線通信エリアを広くするため、無線通信エリアを迅速に広くでき、特定の情報コードＣａの読み取り後における非接触通信媒体の読み取りを迅速かつ確実に実施することができる。
【００４６】
［第３実施形態］
次に、本発明の第３実施形態に係る情報読取装置について、図面を参照して説明する。
本第３実施形態では、情報コードが翳されていることが検知されると非接触通信媒体の読み取りを一時的に停止する点が主に上記第１実施形態と異なる。このため、第１実施形態と実質的に同様の構成部分には同一符号を付して説明を省略する。
【００４７】
図１のように、情報コードＣが表示画面６１に表示される携帯端末６０とＩＣカードＭとの両媒体が同時に読取口１３に翳される場合、その翳し方等によっては光学読取エリアＳ２内でも情報コードＣのデコードが失敗したために読み取られないまま両媒体が無線通信エリアＳ１内に入ることで、ＩＣカードＭが先に読み取られてしまう可能性がある。しかし、情報コードＣのデコード処理が失敗しても、情報コードＣを撮像していればその撮像画像から情報コードＣの一部を構成する特定のパターンを検出できる場合がある。特定のパターンが検出可能な情報コード検出エリアは、図８の符号Ｓ３にて示すように、光学読取エリアＳ２よりも広くなるからである。ここで、上記特定のパターンとは、データ等を記録するためのセル（パターン）等よりも認識しやすく構成されるパターンであって、例えば、ＱＲコードの３つの位置検出パターンＦＰ１〜ＦＰ３や、バーコードのスタート・ストップキャラクタ等が想定される。なお、図８では、便宜上、光学読取エリアＳ２との重複部分を除く情報コード検出エリアＳ３にハッチングを付している。
【００４８】
そこで、本実施形態では、上述のような特定のパターンを有する情報コードが翳されることを前提に、撮像画像から特定のパターンが撮像されて検出されることで情報コードが翳される状態を検知して、その場合に情報コードの読み取りを優先するため無線通信部３０による電波の出力を一時的に停止する。
【００４９】
以下、本実施形態において、情報コード及び非接触通信媒体を読み取る際に、制御部２１にて実行される読取処理について、図９に示すフローチャートを参照して説明する。なお、以下の説明では、図３に例示するようにＱＲコードとして３つの位置検出パターンＦＰ１〜ＦＰ３を有するように構成される情報コードＣとＩＣカードＭとの読み取りを主とし、その読取結果を決済情報等の一部として決済サーバ等に送信して出力する場合について詳述する。
【００５０】
操作部２５に対する所定の操作等に応じて制御部２１にて読取処理が開始されると、図８に例示するように、無線通信部３０によるＩＣカードＭ（非接触通信媒体）の読み取り及び光学的情報読取部４０による情報コードＣの読み取りの双方が可能な状態になる（図９のＳ１０１）。そして、ステップＳ１０３に示す判定処理にて、受光センサ４３を利用した撮像画像について、光学的情報読取部４０による情報コードＣの読み取りが成功しているか否かについて判定され、その読み取りが成功していない場合には（Ｓ１０３でＮｏ）、ステップＳ１０５に示す判定処理にて、その撮像画像から特定のパターンが検出されるか否かについて判定される。ここで、読取口１３に情報コードＣが翳されていないことから撮像画像から特定のパターンが検出されない場合に（Ｓ１０５でＮｏ）、無線通信部３０によるＩＣカードＭの読み取りも成功していないと（Ｓ１０７でＮｏ）、上記ステップＳ１０３からの処理が繰り返される。
【００５１】
そして、この繰り返し処理中に、情報コードＣが光学読取エリアＳ２に入ったことから光学的情報読取部４０による情報コードＣの読み取りが成功すると（Ｓ１０３でＹｅｓ）、その読取結果が決済情報等の一部として外部インタフェース２７を介して決済サーバ等に出力される（Ｓ１０９）。また、上記繰り返し処理中に、情報コードＣが翳されることなく無線通信部３０によるＩＣカードＭの読み取りが成功しても（Ｓ１０７でＹｅｓ）、その読取結果が決済情報等の一部として外部インタフェース２７を介して決済サーバ等に出力される（Ｓ１１１）。
【００５２】
一方、上記繰り返し処理中に、情報コードＣの読み取りが失敗している状態で（Ｓ１０３でＮｏ）、情報コードＣが情報コード検出エリアＳ３に入ったことから、特定のパターンである各位置検出パターンＦＰ１〜ＦＰ３の少なくとも１つが撮像されてその検出に成功すると（Ｓ１０５でＹｅｓ）、情報コードＣが翳されているとして無線通信部３０による電波の出力が停止されて、ＩＣカードＭの読み取りが停止される（Ｓ１１３）。なお、上記ステップＳ１０５の判定処理を行う制御部２１は、「判定部」の一例に相当し得る。
【００５３】
そして、ＩＣカードＭの読み取りが停止された状態で、ステップＳ１１５に示す判定処理にて、情報コードＣの読み取りが成功しているか否かについて判定される。ここで、情報コードＣが情報コード検出エリアＳ３に入っているものの光学読取エリアＳ２に入っていないことから情報コードＣの読み取りが失敗していると（Ｓ１１５でＮｏ）、ＩＣカードＭの読取停止から所定時間経過するまでステップＳ１１７の判定処理にてＮｏと判定されて、上記ステップＳ１１５の判定処理が繰り返される。
【００５４】
そして、情報コードＣが光学読取エリアＳ２に入りその読み取りに成功すると（Ｓ１１５でＹｅｓ）、その読取結果が決済情報等の一部として外部インタフェース２７を介して決済サーバ等に出力される（Ｓ１１９）。そして、無線通信部３０により電波が出力されて、ＩＣカードＭの読み取りが再開され（Ｓ１２１）、上記ステップＳ１０７以降の処理がなされる。
【００５５】
一方、情報コードＣの読み取りが成功することなく（Ｓ１１５でＮｏ）、ＩＣカードＭの読取停止から所定時間経過すると（Ｓ１１７でＹｅｓ）、情報コードＣの読み取りを待つことなくＩＣカードＭの読み取りが再開される（Ｓ１２１）。
【００５６】
以上説明したように、本実施形態に係る情報読取装置１０では、制御部２１にて行われる読取処理において、光学的情報読取部４０により情報コードＣの特定のパターンが撮像されて検出されているか否かについて、ステップＳ１０５の判定処理にて判定する。これにより、両媒体が光学読取エリアＳ２に入る前であっても特定のパターンが撮像されることで、上記判定処理の判定結果に応じて情報コードＣが読取口１３に翳されているか否かを迅速に把握することができる。
【００５７】
そして、制御部２１にて行われる読取処理では、無線通信部３０は、上記特定のパターンが撮像されていると判定されると（Ｓ１０５でＹｅｓ）、電波の出力を停止する。これにより、情報コードＣが読取口１３に翳されていることを把握して上でＩＣカードＭ等の非接触通信媒体を読み取れなくすることができ、携帯端末６０等の表示媒体に表示される情報コードＣに対する読み取りを非接触通信媒体に対する読み取りよりもより優先的に実施することができる。
【００５８】
特に、無線通信部３０は、上記特定のパターンが撮像されていると判定されると（Ｓ１０５でＹｅｓ）、情報コードＣの読み取りが成功するか（Ｓ１１５でＹｅｓ）、所定の時間が経過してステップＳ１１７の判定処理にてＹｅｓと判定されまで、電波の出力を停止する。これにより、情報コードＣが読取口１３に翳されていることを把握して上で所定の時間が経過するまで非接触通信媒体を一時的に読み取れなくすることができ、表示媒体の情報コードＣに対する読み取りを非接触通信媒体に対する読み取りよりもより優先的に実施することができる。
【００５９】
本実施形態の変形例として、制御部２１にて行われる読取処理では、上記特定のパターンが撮像されていると判定されると情報コードＣの読み取りが成功するまで無線通信部３０における電波の出力を停止してもよい。具体的には、図１０に示すフローチャートのように、特定のパターンが撮像されてその検出に成功することで（Ｓ１０５でＹｅｓ）、無線通信部３０による電波の出力が停止されて、ＩＣカードＭの読み取りが停止されると（Ｓ１１３）、情報コードＣの読み取りが成功するまでステップＳ１１５の判定処理にてＮｏとの判定が繰り返される。
【００６０】
これにより、情報コードＣが読取口１３に翳されていることを把握して上でその情報コードＣの読み取りが成功するまで非接触通信媒体を一時的に読み取れなくすることができ、表示媒体の情報コードＣに対する読み取りを非接触通信媒体に対する読み取りよりもより優先的に実施することができる。なお、上記ステップＳ１１５の判定処理にてＮｏとの繰り返し判定中に特定のパターンが検出されなくなると、無線通信部３０により電波を出力してＩＣカードＭの読み取りを再開した状態で上記ステップＳ１０７以降の処理を行ってもよい。
【００６１】
［第４実施形態］
次に、本発明の第４実施形態に係る情報読取装置について、図面を参照して説明する。
本第４実施形態では、非接触通信媒体を情報コードよりも優先して読み取る点が主に上記第１実施形態と異なる。このため、第１実施形態と実質的に同様の構成部分には同一符号を付して説明を省略する。
【００６２】
情報コードＣを利用したサービスとして、例えば、顧客情報が収容された情報コードを読み取り、顧客情報と紐付けられたクレジットカード等から決済を行う場合がある。また、非接触媒体を利用したサービスとして、例えば、携帯端末内蔵のＩＣチップやＩＣカードを使用し、会員番号を認証してポイントを付与する場合がある。非接触媒体を利用して会員番号を認証した上で、情報コードを利用して決済する場合には、非接触通信媒体を情報コードよりも優先して読み取る必要がある。そこで、本実施形態に係る情報読取装置１０ａでは、図１１に示すように、非接触通信媒体を情報コードよりも優先して読み取るため、光学的情報読取部４０を読取口１３に対して無線通信部３０のアンテナ３４よりも遠ざけることで、読取口１３に近づけられた媒体に対して光学読取エリアＳ２を無線通信エリアＳ１よりも狭くしている。
【００６３】
これにより、情報コードＣが表示される携帯端末６０等の表示媒体とＩＣカードＭ等の非接触通信媒体との両媒体を同時に読取口１３に翳す場合でも、非接触通信媒体に対する読み取りを表示媒体の情報コードＣに対する読み取りよりも優先的に実施することができる。
【００６４】
特に、光学的情報読取部４０を読取口１３に対して無線通信部３０のアンテナ３４よりも遠ざけることで、読取口１３に近づけられた媒体に対して光学読取エリアＳ２を無線通信エリアＳ１よりも狭くしているため、読取口１３を基準として簡素な構成にて光学読取エリアＳ２を狭くすることができる。
【００６５】
［第５実施形態］
次に、本発明の第５実施形態に係る情報読取装置について、図面を参照して説明する。
本第５実施形態では、情報コードが翳されていることが検知されると情報コードの読み取りを一時的に停止する点が主に上記第４実施形態と異なる。このため、第４実施形態と実質的に同様の構成部分には同一符号を付して説明を省略する。
【００６６】
本実施形態では、上述のような特定のパターンを有する情報コードが翳されることを前提に、撮像画像から特定のパターンが撮像されて検出されることで情報コードが翳される状態を検知して、その場合に非接触通信媒体の読み取りを優先するため光学的情報読取部４０を利用した情報コードの読み取りを一時的に停止する。
【００６７】
以下、本実施形態において、情報コード及び非接触通信媒体を読み取る際に、制御部２１にて実行される読取処理について、図１２に示すフローチャートを参照して説明する。
操作部２５に対する所定の操作等に応じて制御部２１にて読取処理が開始されると、無線通信部３０によるＩＣカードＭ（非接触通信媒体）の読み取り及び光学的情報読取部４０による情報コードＣの読み取りの双方が可能な状態になり（図１２のＳ１０１）、撮像画像から特定のパターンが検出されず（Ｓ１０５でＮｏ）、無線通信部３０によるＩＣカードＭの読み取りも成功していないと（Ｓ１０７でＮｏ）、上記ステップＳ１０５からの処理が繰り返される。
【００６８】
そして、この繰り返し処理中に、無線通信部３０によるＩＣカードＭの読み取りが成功すると（Ｓ１０７でＹｅｓ）、その読取結果が決済情報等の一部として外部インタフェース２７を介して決済サーバ等に出力される（Ｓ１１１）。
【００６９】
一方、上記繰り返し処理中に、情報コードＣが情報コード検出エリアＳ３に入ったことから、特定のパターンである各位置検出パターンＦＰ１〜ＦＰ３の少なくとも１つが撮像されてその検出に成功すると（Ｓ１０５でＹｅｓ）、情報コードＣが翳されているとして光学的情報読取部４０を利用した情報コードＣの読み取りが停止される（Ｓ１１３ａ）。なお、上記ステップＳ１０５の判定処理を行う制御部２１は、「判定部」の一例に相当し得る。
【００７０】
そして、情報コードＣの読み取りが停止された状態で、ステップＳ１１５ａに示す判定処理にて、ＩＣカードＭの読み取りが成功しているか否かについて判定される。ここで、ＩＣカードＭが無線通信エリアＳ１に入っていないことからＩＣカードＭの読み取りが失敗していると（Ｓ１１５ａでＮｏ）、情報コードＣの読取停止から所定時間経過するまでステップＳ１１７ａの判定処理にてＮｏと判定されて、上記ステップＳ１１５ａの判定処理が繰り返される。
【００７１】
そして、ＩＣカードＭが無線通信エリアＳ１に入りその読み取りに成功すると（Ｓ１１５ａでＹｅｓ）、その読取結果が決済情報等の一部として外部インタフェース２７を介して決済サーバ等に出力される（Ｓ１１９ａ）。そして、光学的情報読取部４０による情報コードＣの読み取りが再開され（Ｓ１２１ａ）、情報コードＣの読み取りに成功すると（Ｓ１２３でＹｅｓ）、その読取結果が決済情報等の一部として外部インタフェース２７を介して決済サーバ等に出力される（Ｓ１２５）。
【００７２】
一方、ＩＣカードＭの読み取りが成功することなく（Ｓ１１５ａでＮｏ）、情報コードＣの読取停止から所定時間経過すると（Ｓ１１７ａでＹｅｓ）、ＩＣカードＭの読み取りを待つことなく情報コードＣの読み取りが再開される（Ｓ１２１ａ）。
【００７３】
以上説明したように、本実施形態に係る情報読取装置１０ａでは、制御部２１にて行われる読取処理において、光学的情報読取部４０により情報コードＣの特定のパターンが撮像されて検出されているか否かについて、ステップＳ１０５の判定処理にて判定する。これにより、両媒体が光学読取エリアＳ２に入る前であっても特定のパターンが撮像されることで、上記判定処理の判定結果に応じて情報コードＣが読取口１３に翳されているか否かを迅速に把握することができる。
【００７４】
そして、制御部２１にて行われる読取処理では、無線通信部３０は、上記特定のパターンが撮像されていると判定されると（Ｓ１０５でＹｅｓ）、所定の時間が経過するまで、情報コードＣの読取処理を停止する。これにより、情報コードＣが読取口１３に翳されていることを把握して上でその情報コードＣを所定の時間が経過するまで一時的に読み取れなくすることができ、ＩＣカードＭ等の非接触通信媒体に対する読み取りを携帯端末６０等の表示媒体に表示される情報コードＣに対する読み取りよりもより優先的に実施することができる。
【００７５】
なお、本発明は上記各実施形態に限定されるものではなく、例えば、以下のように具体化してもよい。
（１）本発明に係る情報読取装置１０，１０ａは、決済関連用途に適用されることに限らず、ＩＣカード等の非接触通信媒体と情報コード等の光学的情報との双方を読み取る用途であれば適用することができる。
【００７６】
（２）本発明に係る情報読取装置１０，１０ａは、据え置き型の読取装置として構成されることに限らず、携帯型の読取装置として構成されてもよい。
【符号の説明】
【００７７】
１０，１０ａ…情報読取装置
１３…読取口
２１…制御部（判定部）
３０…無線通信部
３４…アンテナ
４０…光学的情報読取部
４３…受光センサ
５０…保護ケース
６０…携帯端末
Ｃ…情報コード
Ｍ…ＩＣカード（非接触通信媒体）
Ｓ１，Ｓ１ａ…無線通信エリア
Ｓ２…光学読取エリア
Ｓ３…情報コード検出エリア
【図１】
2018124882.tif 000003
【図２】
2018124882.tif 000004
【図３】
2018124882.tif 000005
【図４】
2018124882.tif 000006
【図５】
2018124882.tif 000007
【図６】
2018124882.tif 000008
【図７】
2018124882.tif 000009
【図８】
2018124882.tif 000010
【図９】
2018124882.tif 000011
【図１０】
2018124882.tif 000012
【図１１】
2018124882.tif 000013
【図１２】
2018124882.tif 000014